(57)【要約】【課題】外れ阻止機構部を備えながら屋根パネル等に対する脱着を容易に行え、屋根パネル等の縁部の形態が治具付け箇所によって異なっていても簡素な構造の１種類で対応でき、吊り治具を屋根パネルの軒先側から足場無しで安全に外せる吊り治具を提供する。【解決手段】外れ阻止機構部５が、外れ阻止カム６と、該カムを引掛け許容位置の側から外れ阻止位置の側に向けて付勢するバネ７からなり、第１、第２の２種類の引掛け部３，９が備えられ、各引掛け部は上記のカム６とバネ７で外れ阻止状態と引掛け許容状態を形成し、カム６を外し用位置でロックするロック機構１０が備えられ、カム６の回転操作レバー部６ｂに紐１４が連結され、カム６には遊転ローラー１５が設けられている。【選択図】      図１
2007239231.tif 000002
【特許請求の範囲】
【請求項１】
吊り対象物の縁部に引っ掛けられて、該吊り対象物を吊るのに用いられる吊り治具であって、
吊り手段を連結する吊り連結部と、吊り対象物に外し可能に引っ掛けられる引掛け部と、吊り対象物への引掛け状態において吊り対象物から外れるのを阻止する外れ阻止機構部とが備えられ、
該外れ阻止機構部は、外れ阻止位置と引掛け許容位置とに回転位置を変更できるように設けられた外れ阻止カムと、該外れ阻止カムを引掛け許容位置の側から外れ阻止位置の側に向けて回転方向に付勢する付勢手段とを備え、
該付勢手段の付勢力で外れ阻止カムにより外れ阻止状態が形成され、外れ阻止カムを付勢手段の付勢力に抗して引掛け許容位置の側に向けて回転変位させることにより引掛け許容状態が形成されるようになされていることを特徴とする吊り治具。
【請求項２】
前記引掛け部とは形態の異なる第２の引掛け部が備えられ、前記外れ阻止カムと前記付勢手段により、該第２引掛け部における外れ阻止状態と引掛け許容状態とが形成されるようになされている請求項１に記載の吊り治具。
【請求項３】
前記吊り対象物が、傾斜状態に設置される屋根パネルからなり、
前記引掛け部が該屋根パネルの傾斜方向下側の縁部に引っ掛け可能で、外れ阻止カムが引掛け状態において屋根パネルの上面側に位置し、該外れ阻止カムと付勢手段により外れ阻止状態が形成されるようになされており、
前記外れ阻止カムを引掛け許容位置を越えた外し用位置においてロックするロック機構が備えられ、外れ阻止カムに回転操作レバー部が設けられると共に、該操作レバー部に回転操作用の索条が連結され、該索条を、傾斜状態に設置されたパネルの傾斜方向上側から付勢手段による付勢力に抗して引っ張ることで外れ阻止カムが外し用位置においてロック機構によりロックされ、該ロック状態で索条を緩めると、自重とパネルの傾斜を利用してパネルから外れるようになされている請求項１又は２に記載の吊り治具。
【請求項４】
前記外れ阻止カムに遊転ローラーが設けられ、外れ阻止カムが外し用位置でロック機構によりロックされると、自重により、該遊転ローラーがパネルの上面部に当接するようになされている請求項３に記載の吊り治具。
【発明の詳細な説明】
【技術分野】
【０００１】
本発明は、屋根パネル等の吊り対象物の縁部に引っ掛けられて、該吊り対象物をクレーン等で吊り上げるのに用いられる吊り治具に関する。
【背景技術】
【０００２】
例えば、野地板の下面に垂木を取り付けた屋根パネルをクレーンにより吊り上げて建物に設置するような場合などに用いられる吊り治具として、従来より種々のものが提供されており、そのなかには、建物に傾斜状態に設置された屋根パネルの軒先側の縁部に引っ掛けられている吊り治具が、吊りワイヤーの緩みによって外れてしまわないようになっているもの、即ち、外れ阻止機構部が備えられたものも提供されている。
【特許文献１】特開２００２−２４２４４０
【発明の開示】
【発明が解決しようとする課題】
【０００３】
しかしながら、従来の吊り治具では、外れ阻止機構部が、ネジ孔とボルトを用いたネジ式のものからなっているのが一般的であり、吊り対象物に対する脱着に手間を要するという問題があった。
【０００４】
また、一般に、吊上げは、一つの吊り対象物の縁部における複数箇所に吊り治具を引っ掛けて行われるが、吊り対象物の縁部の形態が、吊り治具を引っ掛ける箇所によって異なっているときは、それぞれの箇所に吊り治具を引っ掛けることができるように、複数種類の吊り治具を使用しなければならず、吊り治具の管理が容易ではないという問題もある。
【０００５】
更に、吊り対象物が屋根パネルであるような場合に、建物の高所に設置した屋根パネルの軒先側に外れ阻止状態に取り付いている吊り治具を、足場なしで屋根側から取り外す作業は、危険を伴うものであった。
【０００６】
本発明は、上記のような従来の問題点に鑑み、外れ阻止機構部が備えられたものでありながら吊り対象物に対する脱着を容易に行え、また、吊り対象物の縁部の形態が吊り治具を付ける箇所によって異なっていても簡素な構造の１種類で対応でき、また、吊り対象物が屋根パネルであって建物への設置後軒先側に位置するような場合であっても足場無しで安全に外すことができる吊り治具を提供することを課題とする。
【課題を解決するための手段】
【０００７】
上記の課題は、吊り対象物の縁部に引っ掛けられて、該吊り対象物を吊るのに用いられる吊り治具であって、
吊り手段を連結する吊り連結部と、吊り対象物に外し可能に引っ掛けられる引掛け部と、吊り対象物への引掛け状態において吊り対象物から外れるのを阻止する外れ阻止機構部とが備えられ、
該外れ阻止機構部は、外れ阻止位置と引掛け許容位置とに回転位置を変更できるように設けられた外れ阻止カムと、該外れ阻止カムを引掛け許容位置の側から外れ阻止位置の側に向けて回転方向に付勢する付勢手段とを備え、
該付勢手段の付勢力で外れ阻止カムにより外れ阻止状態が形成され、外れ阻止カムを付勢手段の付勢力に抗して引掛け許容位置の側に向けて回転変位させることにより引掛け許容状態が形成されるようになされていることを特徴とする吊り治具によって解決される（第１発明）。
【０００８】
この吊り治具では、外れ阻止カムと付勢手段とによる外れ阻止機構部が備えられているので、吊り対象物の縁部への取付けは、外れ阻止カムを付勢手段の付勢力に抗して引掛け許容位置の側に向けて回転変位させ、引掛け部を吊り対象物の縁部に引っ掛けた状態にした後、外れ阻止カムを付勢手段の付勢力によって復帰方向に回転させればよく、それにより外れ阻止状態となって吊り対象物に取り付き、また、吊り対象物からの取外しは、外れ阻止カムを付勢手段の付勢力に抗して引掛け許容位置の側に向けて回転変位させた状態にすれば、引掛け部を吊り対象物の縁部から外すことができて、外れ阻止機構部を備えたものでありながら、外れ阻止カムに対して付勢手段による付勢力に抗した回転操作を行うだけの簡単な操作で吊り治具を吊り対象物に対して容易に脱着することができる。
【０００９】
第１発明において、前記引掛け部とは形態の異なる第２の引掛け部が備えられ、前記外れ阻止カムと前記付勢手段により、該第２引掛け部における外れ阻止状態と引掛け許容状態とが形成されるようになされているとよい（第２発明）。
【００１０】
この吊り治具では、第２の引掛け部を含む複数の引掛け部が備えられているので、吊り対象物の縁部の形態が吊り治具を付ける箇所によって異なっていても、１種類の吊り治具で対応することができ、吊り治具の管理を容易に行うことができる。
【００１１】
しかも、第２引掛け部における外れ阻止状態と引掛け許容状態とが、上記の引掛け部、即ち第１の引掛け部における外れ阻止状態と引掛け許容状態と形成する外れ阻止カムと前記付勢手段によって形成されるようになされているので、吊り治具を構成部品点数の少ない構造簡素なものにすることができる。
【００１２】
上記の第１，第２発明において、吊り対象物が、傾斜状態に設置される屋根パネルからなり、
前記引掛け部が該屋根パネルの傾斜方向下側の縁部に引っ掛け可能で、外れ阻止カムが引掛け状態において屋根パネルの上面側に位置し、該外れ阻止カムと付勢手段により外れ阻止状態が形成されるようになされており、
前記外れ阻止カムを引掛け許容位置を越えた外し用位置においてロックするロック機構が備えられ、外れ阻止カムに回転操作レバー部が設けられると共に、該操作レバー部に回転操作用の索条が連結され、該索条を、傾斜状態に設置されたパネルの傾斜方向上側から付勢手段による付勢力に抗して引っ張ることで外れ阻止カムが外し用位置においてロック機構によりロックされ、該ロック状態で索条を緩めると、自重とパネルの傾斜を利用してパネルから外れるようになされているとよい。
【００１３】
この吊り治具では、該吊り治具が、建物に設置した屋根パネルの軒先側に取り付いている場合は、屋根の棟側から索条を引っ張って外れ阻止カムをロック機構でロックすることにより、外れ阻止カムが外し用位置に保持され、該ロック状態で索条を緩めると、吊り治具の自重と屋根パネルの傾斜を利用して屋根パネルから外れるので、吊り治具を屋根パネルから足場無しで容易かつ安全に外すことができる。
【００１４】
第３発明の吊り治具において、外れ阻止カムに遊転ローラーが設けられ、外れ阻止カムが外し用位置でロック機構によりロックされると、自重により、該遊転ローラーがパネルの上面部に当接するようになされている場合（第４発明）は、建物に設置した屋根パネルの軒先側に取り付いている吊り治具を遊転ローラーの作用で軒先からスムーズに外すことができる。
【発明の効果】
【００１５】
本発明の吊り治具は、以上のとおりのものであるから、外れ阻止機構部が備えられたものでありながら吊り対象物に対する脱着を容易に行える。また、吊り対象物の縁部の形態が吊り治具を付ける箇所によって異なっていても簡素な構造の１種類で対応できる。更に、吊り対象物が屋根パネルであって建物への設置後軒先側に位置するような場合であっても足場無しで安全に外すことができる。
【発明を実施するための最良の形態】
【００１６】
次に、本発明の実施最良形態を図面に基づいて説明する。
【００１７】
図１及び図２に示す実施形態の吊り治具１は、図８（イ）に示すような寄せ棟屋根２１を構成する屋根パネル２２を吊り対象物とするものであり、屋根パネル２２は、図８（ロ）に示すように、野地板２３の下面に垂木２４が取り付けられた三角形状のものからなっており、垂木２４…を避けた野地板２３の部分２箇所と、野地板２３と垂木２４との重なり部分１箇所の合計３箇所の縁部のそれぞれに吊り治具１…を引っ掛けて吊る必要のある構造になっている。
【００１８】
そのため、吊り治具１において、図１及び図２に示すように、治具本体２には、野地板２３の部分を引っ掛ける第１引掛け部３と、野地板２３と垂木２４の重なり部分を引っ掛ける第２引掛け部９とが備えられ、第２引掛け部９には野地板２３と垂木２４の重なり部分に安定良く引っ掛けられるように垂木２４と係合する爪部９ａが備えられている。
【００１９】
また、治具本体２にはアーム状の把持部２６が備えられると共に、該把持部２６の先端部には吊り連結部４が備えられ、該吊り連結部４の孔４ａを利用して吊り用のワイヤーを連結することができるようになされている。
【００２０】
そして、該治具本体２には、外れ阻止機構部５を構成するものとして、外れ阻止カム６が治具本体２の把持部２６の基端側に回転可能に枢着８されており、該外れ阻止カム６は、図２（イ）実線で示す外れ阻止位置と、図２（イ）に仮想線で示す引掛け許容位置とに回転位置を変更することができるようになされていて、付勢手段としてのバネ７がその付勢力によって、該外れ阻止カム６を引掛け許容位置の側から外れ阻止位置の側に向けて回転方向に付勢し、外れ阻止カム６を外れ阻止位置の側で待機させるようになされている。
【００２１】
この外れ阻止カム６には、カム本体部６ａから操作レバー部６ｂが延長状態に設けられており、外れ阻止カム６が外れ阻止位置の側に位置するときに操作レバー部６ｂが治具本体２の把持部２６から離れた状態となり、該操作レバー部６ｂと把持部２６とを掴んで操作レバー部６ｂを枢着部８を中心として把持部２６の側に寄せることにより、外れ阻止カム６が引掛け許容位置の側に回転変位をするようになされている。
【００２２】
そして、外れ阻止カム６を、図２（ロ）に示すように、引掛け許容位置を越えた外し用位置においてロックするロック機構１０が備えられている。該ロック機構１０は、外れ阻止カム６の操作レバー部６ｂの先端寄りの位置に設けられたロック孔１３を、治具本体２の把持部２６の先端寄りの位置に設けられたロック片１１に係合させてロックするようになされている。
【００２３】
即ち、ロック片１１は、図３（イ）に示すように、治具本体２の把持部２６に設けられた孔２６ａに貫通状態に通され、該孔２６ａを挟む一方の側に受入れ傾斜部１１ｂ付きのロック用爪部１１ａが備えられると共に、孔２６ａを挟むもう一方の側をロック解除操作部１１ｃとしている。
【００２４】
そして、該ロック解除操作部１１ｃと把持部２６との間に圧縮コイルバネ１２が介設され、図３（イ）（ロ）に示すように、外れ阻止カム６の操作レバー部６ｂを把持部２６の側に寄せ込むと、該操作レバー部６ｂが傾斜部１１ｂを利用してロック用爪部１１ａをバネ１２の付勢力に抗して外方に開かせ、該ロック用爪部１１ａが外れ阻止カム６の操作レバー部６ｂのロック孔１３に一致すると、バネ１２の付勢力でロック孔１３内に突出し、ロック状態が形成されるようになされている。また、図３（ハ）に示すように、該ロック状態において、ロック解除操作部１１ｃをバネ１２の付勢力に抗して内向きに押すと、ロック用爪部１１ａが操作レバー部６ｂのロック孔１３から抜出され、ロック状態が解除されるようになされている。
【００２５】
また、外れ阻止カム６の操作レバー部６ｂの先端側には、索条としての紐１４が連結されており、該紐１４を引っ張ることで、外れ阻止カム６が外れ阻止位置の側から外し用位置まで回転変位し、外れ阻止カム６がロック機構１０でロックされるようになされている。
【００２６】
また、外れ阻止カム６のカム本体部６ａには、図１及び図２に示すように、遊転ローラー１５が取り付けられ、該遊転ローラー１５は、外れ阻止カム６が、図２（イ）に示すように外れ阻止位置の側や引掛け許容位置の側に位置している状態から、図２（ロ）に示すように外し用位置に位置すると第１引掛け部３の側に張り出し状態に進出するようになされている。
【００２７】
屋根パネル２２の吊上げは、上記の吊り治具１を３つ屋根パネル２２に取り付けて行われるが、そのうちの２つの吊り治具１の取付けは、図４（イ）に示すように、吊り治具１の操作レバー部６ｂを把持部２６の側に握り寄せて外れ阻止カム６を引掛け許容位置に位置させ、その状態で第１引掛け部３を屋根パネル２２の野地板２３の軒先側となる部分に引っ掛けた後、手を離すと、図４（ロ）に示すように、外れ阻止カム６はバネ７の付勢力によって外れ阻止位置の側に回転し、カム本体部６ａが野地板２３の上面部を押さえ込んだ状態となり、吊り治具１は屋根パネル２２に対して外れ阻止状態となる。
【００２８】
また、残る１つの吊り治具１の取付けは、図６（イ）に示すように、同じく吊り治具１の操作レバー部６ｂと把持部２６とを握り寄せて外れ阻止カム６を引掛け許容位置に位置させ、その状態で第２引掛け部９を屋根パネル２２の野地板２３と垂木２４との重なる棟側部分に引っ掛けた後、手を離すと、図６（ロ）に示すように、外れ阻止カム６がバネ７の付勢力によって外れ阻止位置の側に回転し、カム本体部６ａが野地板２３の上面部を押さえ込んだ状態となり、吊り治具１は屋根パネル２２に対して外れ阻止状態となる。
【００２９】
こうして屋根パネル２２に取り付けられた各吊り治具１の吊り連結部４に、図４（ハ）及び図６（ハ）に示すように、吊り手段としての吊りワイヤー２５を連結し、該吊りワイヤー２５を図示しないクレーン等で引き上げていけば、屋根パネル２２は吊り状態となって、建物の所定の設置位置に搬送していくことができる。
【００３０】
その後、屋根パネル２２を建物に傾斜した載置状態となったことによって吊りワイヤー２５が緩んでも、屋根パネル２２の軒先側に第１引掛け部３を引っ掛けて取り付けられている吊り治具１は、外れ阻止カム６のカム本体部６ａがバネ７の付勢力によって野地板２３の上面部を押さえ込んだ状態となっていることにより、軒先側から外れて落下ししまうことはないし、もちろん、屋根パネル２２の棟側に第２引掛け部９を引っ掛けて取り付けられている吊り治具１についても、外れ阻止カム６のカム本体部６ａがバネ７の付勢力によって野地板２３の上面部を押さえ込んだ状態となっていることにより、棟側から外れてしまうこともない。
【００３１】
そして、屋根パネル２２から軒先側の吊り治具１を外すときは、図５（ニ）に示すように、予め棟側に延ばしておいた紐１４を棟側から引っ張ることによって、外れ阻止カム６を外し用位置に位置させ、ロック機構１０にロックさせる。これにより、野地板２３の上面側を押さえ込んでいた外れ阻止カム６のカム本体部６ａが退避すると共に、吊り治具１の自重により、遊転ローラー１５が野地板２３の上面部に当接し、吊り治具１は、その自重と屋根パネル２２の傾斜を利用して遊転ローラー１５を回転させながら屋根パネル２２から外れて、図５（ホ）に示すように、紐１４により軒下に吊り下げ状態となり、その状態から図５（ヘ）に示すように紐１４を屋根側に引いていけば、吊り治具１を屋根上に回収することができ、吊り治具１を屋根パネル２２の軒先側から足場無しで安全に回収することができる。
【００３２】
また、屋根パネル２２の棟側に取り付けられていた吊り治具１は、図７（ニ）に示すように、吊り治具１の操作レバー部６ｂを把持部２６の側に握り寄せて外れ阻止カム６を引掛け許容位置に位置させ、その状態で、図７（ホ）に示すように、第２引掛け部９を屋根パネル２２の野地板２３と垂木２４の重なり部分から外すようにすればよい。
【００３３】
このように上記の吊り治具１では、外れ阻止機構部として、外れ阻止カムとバネとによるものを備えているので、外れ阻止カム６に対してバネ７による付勢力に抗した回転操作を行うだけの簡単な操作で吊り治具１を屋根パネル２２に対して容易に脱着することができる。
【００３４】
また、一つの吊り治具１に、屋根パネル２２の野地板２３の部分の縁部に引っ掛ける第１引掛け部３と、野地板２３と垂木２４の重なり部分の縁部に引っ掛ける第２引掛け部９とが備えられているので、各縁部への引っ掛けを１種類の吊り治具１で行うことができ、しかも、第２引掛け部９における外れ阻止状態と引掛け許容状態とが、第１引掛け部３における外れ阻止状態と引掛け許容状態と形成する外れ阻止カム６とバネ７によって形成されるようになされているので、吊り治具１を構成部品点数の少ない構造簡素なものにすることができる。
【００３５】
以上に、本発明の実施形態を示したが、本発明はこれに限られるものではなく、発明思想を逸脱しない範囲で各種の変更が可能である。例えば、上記の実施形態では、一つの吊り治具１に、形態の異なる第１、第２の２つの引掛け部３，９を備えさせた場合を示したが、引掛け部は１つであってもよいし、形態の異なる３種類以上で３つ以上の引掛け部が備えられたものであってもよいし、２種類で３つ以上の引掛け部が備えられたものであってもよい。
【００３６】
また、上記の実施形態では、吊り対象物が屋根パネルである場合を示したが、吊り対象物に制限はなく、吊り対象物を引っ掛けることができる縁部を備えた各種吊り対象物であってよく、吊り治具に備えられる引掛け部は吊り対象物の縁部の形態に応じた各種形態をしていてよい。
【００３７】
また、外れ阻止カムや付勢手段の具体的形態に制限はないし、第１、第２発明の吊り治具では、ロック機構や索条等は必須の構成部材ではない。
【図面の簡単な説明】
【００３８】
【図１】図（イ）及び図（ロ）はそれぞれ、実施形態の吊り治具を示す斜視図である。
【図２】図（イ）は吊り治具の外れ阻止カムの操作レバー部が外れ阻止位置にある場合と引掛け許容位置にある場合を示す正面図、図（ロ）は同操作レバー部が外し用位置でロックされている状態を示す正面図である。
【図３】図（イ）〜図（ハ）はロック機構とその作動状態を示す断面正面図である。
【図４】図（イ）〜図（ハ）は、図５（ニ）〜（ヘ）と共に、屋根パネルの軒先側の縁部に対する吊り治具の脱着方法を順次に示す正面図である。
【図５】図（ニ）〜図（ヘ）は、図４（イ）〜（ハ）と共に、屋根パネルの軒先側の縁部に対する吊り治具の脱着方法を順次に示す正面図である。
【図６】図（イ）〜図（ハ）は、図７（ニ）（ホ）と共に、屋根パネルの棟側の縁部に対する吊り治具の脱着方法を順次に示す正面図である。
【図７】図（ニ）及び図（ホ）は、図６（イ）〜（ハ）と共に、屋根パネルの棟側の縁部に対する吊り治具の脱着方法を順次に示す正面図である。
【図８】図（イ）は寄せ棟屋根の平面図、図（ロ）は該屋根を構成する屋根パネルの平面図である。
【符号の説明】
【００３９】
１…吊り治具
３…第１引掛け部（引掛け部）
４…吊り連結部
５…外れ阻止機構部
６…外れ阻止カム
６ｂ…操作レバー部
７…バネ（付勢手段）
９…第２引掛け部
１０…ロック機構
１４…紐（索条）
１５…遊転ローラー
２２…屋根パネル（吊り対象物）
２５…吊りワイヤー（吊り手段）
【図１】
2007239231.tif 000003
【図２】
2007239231.tif 000004
【図３】
2007239231.tif 000005
【図４】
2007239231.tif 000006
【図５】
2007239231.tif 000007
【図６】
2007239231.tif 000008
【図７】
2007239231.tif 000009
【図８】
2007239231.tif 000010